(57)【要約】  フッ素化合物を含有する固体廃棄物を処理する方法。この方法は、フッ素化合物を含有する固体廃棄物を提供するステップと、固体水酸化カルシウムを供給するステップと、固体廃棄物と固体水酸化カルシウムとを混合し、それによってそれらの混合物を形成するステップと、固体フッ化カルシウムを含む加熱生成物を形成するために、混合物を化学的還元（非酸化）環境で加熱するステップと、無害で安全に廃棄処分可能な物質を形成するように、加熱生成物をハンドリングしまたは／かつ処理するステップとを含む。【選択図】図１Ａ
2018535095.tif 000002
【特許請求の範囲】
【請求項１】
フッ素化合物を含有する固体廃棄物を処理する方法であって、
フッ素化合物を含有する固体廃棄物を提供するステップと、
固体水酸化カルシウムを供給するステップと、
固体廃棄物と固体水酸化カルシウムとを混合し、それによってそれらの混合物を形成するステップと、
固体フッ化カルシウムを含む加熱生成物を形成するために、混合物を化学的還元（非酸化）環境で加熱するステップと、
無害で安全に廃棄処分可能な物質を形成するように、加熱生成物をハンドリングしまたは／かつ処理するステップと
を含む方法。
【請求項２】
提供される固体廃棄物のフッ素化合物中に含まれるフッ素の量の化学量論的当量に相応する量の前記固体水酸化カルシウムを供給するステップを含む、請求項１に記載の方法。
【請求項３】
前記混合することは、それにより形成される混合物が顆粒状または／および粉末状となるように実行される、請求項１に記載の方法。
【請求項４】
前記加熱することは、約４００℃〜約８００℃の範囲の動作温度で実行される、請求項１に記載の方法。
【請求項５】
前記加熱することは、約０．１気圧（ａｔｍ）［７６．０ｍｍＨｇ］〜約２気圧（ａｔｍ）［１５２０ｍｍＨｇ］の範囲の動作圧力で実行される、請求項１に記載の方法。
【請求項６】
前記加熱することは、それにより形成されるガスを除去することを含む、請求項１に記載の方法。
【請求項７】
前記加熱することは、前記加熱することの開始から終了まで、前記加熱された混合物およびそれにより形成される前記加熱生成物を強制的に移送かつ移動させることを含む、請求項１に記載の方法。
【請求項８】
前記強制的な移送および移動は、強制物質移送装置を用いて実行される、請求項７に記載の方法。
【請求項９】
前記強制物質移送装置は、約１回転／分（ｒｐｍ）〜約３０回転／分（ｒｐｍ）の範囲の動作速度または回転率で制御可能に回転するように構成されかつ動作する、１つ以上の制御可能に回転可能な構成部品を含む、請求項８に記載の方法。
【請求項１０】
前記加熱することは、約２０分（ｍｉｎ）〜約６０分（ｍｉｎ）の範囲の化学反応滞留時間で実行される、請求項１に記載の方法。
【請求項１１】
前記ハンドリングしまたは／かつ処理することは、固体フッ化カルシウムを含む回収された（高温の）加熱生成物の温度を低減させることを含む、請求項１に記載の方法。
【請求項１２】
無害で安全に廃棄処分可能な物質を廃棄処分するステップをさらに含む、請求項１１に記載の方法。
【請求項１３】
プロセス制御／データ情報処理ユニットを介して、固体廃棄物を提供すること、固体水酸化カルシウムを供給すること、混合すること、および加熱することの動作を制御するステップと、これらのことに関連するデータ情報を処理するステップとをさらに含む、請求項１２に記載の方法。
【請求項１４】
前記加熱生成物をハンドリングしまたは／かつ処理することの動作を制御するステップと、ハンドリングしまたは／および処理することに関連するデータ情報を処理するステップとをさらに含む、請求項１３に記載の方法。
【請求項１５】
フッ素化合物を含有する固体廃棄物を処理するシステムであって、
固体廃棄物を受け入れかつ収容するための固体廃棄物投入ユニットと、
前記固体水酸化カルシウムを固体廃棄物に供給するための固体水酸化カルシウム供給ユニットと、
前記固体廃棄物投入ユニットおよび前記固体水酸化カルシウム供給ユニットに作動的に接続された、前記固体廃棄物および前記固体水酸化カルシウムを混合するための混合ユニットであって、それらの混合物がその中で形成される混合ユニットと、
前記混合ユニットに作動的に接続された、前記混合物を化学的還元（非酸化）環境で加熱するための加熱ユニットであって、固体フッ化カルシウムを含む加熱生成物がその中で形成される加熱ユニットと、
前記加熱ユニットに作動的に接続された、前記加熱生成物をハンドリングしまたは／かつ処理するための生成物ハンドリング／生成物処理ユニットであって、無害で安全に廃棄処分可能な物質がその中で形成される生成物ハンドリング／生成物処理ユニットと
を備えたシステム。
【請求項１６】
前記固体水酸化カルシウム供給ユニットは、提供される固体廃棄物のフッ素化合物中に含まれるフッ素の量の化学量論的当量に相応する量の前記固体水酸化カルシウムを供給するように構成される、請求項１５に記載のシステム。
【請求項１７】
前記混合ユニットは、固体廃棄物と前記固体水酸化カルシウムとを混合するように構成された混合装置を含み、それにより形成される前記混合物は顆粒状または／および粉末状である、請求項１５に記載のシステム。
【請求項１８】
前記加熱ユニットは、約４００℃〜約８００℃の範囲の動作温度で混合物を加熱するように構成される、請求項１５に記載のシステム。
【請求項１９】
前記加熱ユニットは、約０．１気圧（ａｔｍ）［７６．０ｍｍＨｇ］〜約２気圧（ａｔｍ）［１５２０ｍｍＨｇ］の範囲の動作圧力で混合物を加熱するように構成される、請求項１５に記載のシステム。
【請求項２０】
前記加熱ユニットは、前記混合物の前記加熱中に生成されるガスを除去するように構成される、請求項１５に記載のシステム。
【請求項２１】
前記加熱ユニットは、前記混合物およびそれにより形成される前記加熱生成物を、前記加熱中に加熱装置を介して、強制的に移送かつ移動させるように構成された加熱装置を含む、請求項１５に記載のシステム。
【請求項２２】
前記加熱装置は、前記加熱装置を介して前記強制的移送および移動を達成するように構成された強制物質移送装置を含む、請求項２１に記載のシステム。
【請求項２３】
前記加熱装置は加熱室を含み、その中に前記強制物質移送装置が配置される、請求項２２に記載のシステム。
【請求項２４】
前記強制物質移送装置は、制御可能に回転可能なスクリュとしてまたは同様の形状構成および動作型の回転可能な構成部品として制御可能に回転するように構成されかつ動作する、制御可能に回転可能な構成部品を含む、請求項２２に記載のシステム。
【請求項２５】
前記制御可能に回転可能な構成部品は、約１回転／分（ｒｐｍ）〜約３０回転／分（ｒｐｍ）の範囲の動作速度または回転率で制御可能に回転するように構成されかつ動作する、請求項２４に記載のシステム。
【請求項２６】
前記加熱ユニットは、約２０分（ｍｉｎ）〜約６０分（ｍｉｎ）の範囲の化学反応滞留時間、前記混合物を加熱するように構成される、請求項１５に記載のシステム。
【請求項２７】
前記固体廃棄物投入ユニット、前記固体水酸化カルシウム供給ユニット、前記混合ユニット、および前記加熱ユニットに作動的に接続され、かつそれらの動作を制御しかつそれらに関連するデータ情報を処理するプロセス制御／データ情報処理ユニットをさらに含む、請求項１５に記載のシステム。
【請求項２８】
前記プロセス制御／データ情報処理ユニットはさらに、生成物ハンドリング／生成物処理ユニットに作動的に接続され、かつその動作を制御し、それに関連するデータ情報を処理する、請求項２７に記載のシステム。
【発明の詳細な説明】
【技術分野】
【０００１】
（関連出願）
本願は、米国特許法第１１９条（ｅ）項に基づき、２０１５年１１月３０日に出願した米国特許仮出願第６２／２６０７９８号（発明の名称「フッ素化合物を含有する固体廃棄物の処理、およびその適用」）の利益を主張し、その内容は、参照として本明細書中にそれらの全体を援用される。
【０００２】
（発明の分野）
本発明は、その一部の実施形態では、フッ素化合物を含有する固体廃棄物の処理、およびその適用に関する。本発明の一部の実施形態は、例えば、フッ素化合物を含有する材料および製品を製造する、または製造に関係する大規模な商業的プロセスに適用可能である。このプロセス中に、フッ素化合物を含有する大量の固体廃棄物が発生し、よってそのような固体廃棄物をハンドリングしまたは／かつ処理し、かつ廃棄処分する必要がある。
【背景技術】
【０００３】
フッ素化合物（すなわちフッ素含有化合物またはフッ素化化合物）を含有する固体廃棄物は、多数の分野に含まれあるいは関係する無数の様々な種類の材料および製品を製造する結果として発生し、こうした材料および製品は多種多様な産業で商業的に使用され適用されている。
【０００４】
フッ素化合物（フッ素含有化合物またはフッ素化化合物）を含有する材料および製品を製造する、または製造に関係する、大規模な商業的プロセスでは、大量の固体状の廃棄物が発生し、それは（例えば潜在的に有害なフッ素化合物を中和しまたは／かつ安定させるため）特別なハンドリングまたは／および処理を施した後、典型的にはごみ埋立地に廃棄処分する必要がある。そのような大規模な商業的プロセスは、中でも例えば資源（労働力、設備、材料）の活用、技術および安全上の考慮事項、ならびにコストに関与または関係する幾つかの要素によって特徴付けられ、それらは全て、固体廃棄物の特別なハンドリングまたは／および処理のみならず、固体廃棄物の埋立処理にも関連する。これらの要素は、フッ素化合物を含有する材料および製品の製造に関連する全体的な資源の活用、技術および安全上の考慮事項、ならびにコストに寄与する。
【０００５】
フッ素化合物を含有する材料および製品の製造に関連して、全体的な資源の活用、技術および安全上の考慮事項を改善し、または／かつコストを低減する必要性は存在し続けている。そのような必要性は、例えば、フッ素化合物を含有する固体廃棄物を処理するための新規および改善された技術を開発しかつ実施することによって、少なくとも部分的に対処され、実行される。
【発明の概要】
【０００６】
本発明は、その一部の実施形態では、フッ素化合物を含有する固体廃棄物の処理、およびその適用に関する。本発明の一部の実施形態は、例えば、フッ素化合物（フッ素含有化合物またはフッ素化化合物）を含有する材料および製品を製造する、または製造に関係する大規模な商業的プロセスに適用可能である。このプロセス中に、フッ素化合物を含有する大量の固体廃棄物が発生し、よってそのような固体廃棄物をハンドリングしまたは／かつ処理し、かつ廃棄処分する必要がある。
【０００７】
本発明の一部の実施形態の一態様では、フッ素化合物を含有する固体廃棄物を処理する方法であって、フッ素化合物を含有する固体廃棄物を提供するステップと、固体水酸化カルシウムを供給するステップと、固体廃棄物と固体水酸化カルシウムとを混合し、それによってそれらの混合物を形成するステップと、固体フッ化カルシウムを含む加熱生成物を形成するために、混合物を化学的還元（非酸化）環境で加熱するステップと、無害で安全に廃棄処分可能な物質を形成するように、加熱生成物をハンドリングしまたは／かつ処理するステップとを備えた方法を提供する。
【０００８】
本発明の一部の実施形態によれば、この方法は、提供される固体廃棄物のフッ素化合物中に含まれるフッ素の量の化学量論的当量に相応する量の固体水酸化カルシウムを供給するステップを含む。
【０００９】
本発明の一部の実施形態によれば、混合ステップは、それにより形成される混合物が顆粒状または／および粉末状となるように実行される。
【００１０】
本発明の一部の実施形態によれば、加熱ステップは、約４００℃〜約８００℃の範囲の動作温度で実行される。本発明の一部の実施形態によれば、加熱ステップは、約０．１気圧（ａｔｍ）［７６．０ｍｍＨｇ］〜約２気圧（ａｔｍ）［１５２０ｍｍＨｇ］の範囲の動作圧力で実行される。本発明の一部の実施形態によれば、加熱ステップはそれにより形成されるガスを除去することを含む。
【００１１】
本発明の一部の実施形態によれば、加熱ステップは、加熱ステップの開始から終了まで、加熱された混合物およびそれにより形成される加熱生成物を強制的に移送かつ移動させることを含む。本発明の一部の実施形態によれば、強制的な移送および移動は、強制物質移送装置を用いて実行される。本発明の一部の実施形態によれば、強制物質移送装置は、約１回転／分（ｒｐｍ）〜約３０回転／分（ｒｐｍ）の範囲の動作速度または回転率で制御可能に回転するように構成されかつ動作する、１つ以上の制御可能に回転可能な構成部品を含む。
【００１２】
本発明の一部の実施形態によれば、加熱ステップは、約２０分（ｍｉｎ）〜約６０分（ｍｉｎ）の範囲の化学反応滞留時間で実行される。
【００１３】
本発明の一部の実施形態によれば、ハンドリングしまたは／かつ処理するステップは、固体フッ化カルシウムを含む回収された（高温の）加熱生成物の温度を低減させることを含む。
【００１４】
本発明の一部の実施形態によれば、この方法は、無害で安全に廃棄処分可能な物質を廃棄処分するステップをさらに含む。
【００１５】
本発明の一部の実施形態によれば、この方法は、プロセス制御／データ情報処理ユニットを介して、固体廃棄物を提供するステップ、固体水酸化カルシウムを供給するステップ、混合ステップ、および加熱ステップの動作を制御するステップと、これらのステップに関連するデータ情報を処理するステップとをさらに含む。本発明の一部の実施形態によれば、この方法は、加熱生成物をハンドリングしまたは／かつ処理するステップの動作を制御するステップと、ハンドリングまたは／および処理ステップに関連するデータ情報を処理するステップとをさらに含む。
【００１６】
本発明の一部の実施形態の一態様では、フッ素化合物を含有する固体廃棄物を処理するシステムであって、：固体廃棄物を受け入れかつ収容するための固体廃棄物投入ユニットと、固体水酸化カルシウムを固体廃棄物に供給するための固体水酸化カルシウム供給ユニットと、固体廃棄物投入ユニットおよび固体水酸化カルシウム供給ユニットに作動的に接続された、固体廃棄物および固体水酸化カルシウムを混合するための混合ユニットであって、それらの混合物がその中で形成される混合ユニットと、混合ユニットに作動的に接続された、混合物を化学的還元（非酸化）環境で加熱するための加熱ユニットであって、固体フッ化カルシウムを含む加熱生成物がその中で形成される加熱ユニットと、加熱ユニットに作動的に接続された、加熱生成物をハンドリングしまたは／かつ処理するための生成物ハンドリング／生成物処理ユニットであって、無害で安全に廃棄処分可能な物質がその中で形成される生成物ハンドリング／生成物処理ユニットとを備えたシステムを提供する。
【００１７】
本発明の一部の実施形態によれば、固体水酸化カルシウム供給ユニットは、提供される固体廃棄物のフッ素化合物中に含まれるフッ素の量の化学量論的当量に相応する量の固体水酸化カルシウムを供給するように構成される。
【００１８】
本発明の一部の実施形態によれば、混合ユニットは、固体廃棄物と固体水酸化カルシウムとを混合するように構成された混合装置を含み、それにより形成される混合物は顆粒状または／および粉末状になる。
【００１９】
本発明の一部の実施形態によれば、加熱ユニットは、約４００℃〜約８００℃の範囲の動作温度で混合物を加熱するように構成される。本発明の一部の実施形態によれば、加熱ユニットは、約０．１気圧（ａｔｍ）［７６．０ｍｍＨｇ］〜約２気圧（ａｔｍ）［１５２０ｍｍＨｇ］の範囲の動作圧力で混合物を加熱するように構成される。本発明の一部の実施形態によれば、加熱ユニットは、混合物の加熱中に生成されるガスを除去するように構成される。
【００２０】
本発明の一部の実施形態によれば、加熱ユニットは、混合物およびそれにより形成される加熱生成物を、加熱中に加熱装置を介して、強制的に移送かつ移動させるように構成された加熱装置を含む。本発明の一部の実施形態によれば、加熱装置は、加熱装置を介して強制的移送および移動を達成するように構成された強制物質移送装置を含む。本発明の一部の実施形態によれば、加熱装置は加熱室を含み、その中に強制物質移送装置が配置される。
【００２１】
本発明の一部の実施形態によれば、強制物質移送装置は、制御可能に回転可能なスクリュとしてまたは同様の形状構成および動作型の回転可能な構成部品として制御可能に回転するように構成されかつ動作する、制御可能に回転可能な構成部品を含む。本発明の一部の実施形態によれば、制御可能に回転可能な構成部品は、約１回転／分（ｒｐｍ）〜約３０回転／分（ｒｐｍ）の範囲の動作速度または回転率で制御可能に回転するように構成されかつ動作する。
【００２２】
本発明の一部の実施形態によれば、加熱ユニットは、約２０分（ｍｉｎ）〜約６０分（ｍｉｎ）の範囲の化学反応滞留時間、混合物を加熱するように構成される。
【００２３】
本発明の一部の実施形態によれば、このシステムは、固体廃棄物投入ユニット、固体水酸化カルシウム供給ユニット、混合ユニット、および加熱ユニットに作動的に接続され、かつそれらの動作を制御しかつそれらに関連するデータ情報を処理するプロセス制御／データ情報処理ユニットをさらに含む。本発明の一部の実施形態によれば、プロセス制御／データ情報処理ユニットはさらに、生成物ハンドリング／生成物処理ユニットに作動的に接続され、かつその動作を制御し、それに関連するデータ情報を処理する。
【００２４】
本明細書で使用されるすべての技術的および／または科学的言葉、用語および／または句は、本明細書において他に特別に規定又は記載しない限り、本発明が属する技術分野の当業者によって一般に理解されるのと同じ又は類似の意味を有する。本明細書に記載される材料、方法および実施例は例示にすぎず、必ずしも限定であることは意図されない。本明細書に記載される方法および／または材料と類似または同等である方法および材料を本発明の実施形態の実施または／および試験において使用することができるが、例示的な方法および／または材料が下記に記載される。矛盾する場合には、定義を含めて、本特許明細書が優先する。
【００２５】
本発明の一部の実施形態を実行することは、選択されたタスクを、手動操作で、自動的にまたはそれらを組み合わせて実行または完了することを含んでいる。さらに、本発明の一部の実施形態の実際の機器や装置によって、いくつもの選択されたタスクを、ハードウェア、ソフトウェア、またはファームウェア、あるいはオペレーティングシステムを用いるそれらの組合せによって実行できる。
【００２６】
例えば、本発明の実施形態による選択されたタスクを実行するためのハードウェアは、チップとして、回路として、またはそれらの組み合わせで実施されることができる。ソフトウェアとして、本発明の一部の実施形態の選択されたタスクは、コンピュータが適切なオペレーティングシステムを使って実行する複数のソフトウェアの命令のようなソフトウェアとして実施されることができる。本発明の例示的な実施形態において、本明細書に記載される方法および／またはシステムの例示的な実施形態の１つ以上のタスクは、データプロセッサ、例えば複数の命令を実行する計算プラットフォームで実行される。任意選択的に、データプロセッサは、命令および／またはデータを格納するための揮発性メモリを含む。代替的にまたは追加的に、任意選択的に、データプロセッサは、命令および／またはデータを格納するための不揮発性記憶装置（例えば、磁気ハードディスク、および／または取り外し可能な記録媒体）を含む。任意選択的に、ネットワーク接続もさらに提供される。任意選択的に、ディスプレイおよび／またはユーザ入力装置（例えば、キーボードまたはマウス）もさらに提供される。
【図面の簡単な説明】
【００２７】
本明細書では本発明のいくつかの実施形態を単に例示し添付の図面を参照して説明する。特に詳細に図面を参照して、示されている詳細が例示として本発明の一部の実施形態を例示考察することを目的としていることを強調するものである。この点について、添付する図面とともに行う説明によって、本発明の一部の実施形態を実施する方法は当業者には明らかになるであろう。
【００２８】
【図１Ａ】図１Ａは、本発明の一部の実施形態に係る、フッ素化合物を含有する固体廃棄物を処理する方法の例示的実施形態の流れ図である。
【図１Ｂ】図１Ｂは、本発明の一部の実施形態に係る、図１Ａに提示したフッ素化合物を含有する固体廃棄物を処理する方法の例示的実施形態を介して形成された加熱生成物をハンドリングしまたは／かつ処理する例示的ステップ（手順／プロセス）の流れ図である。
【図２】図２は、本発明の一部の実施形態に係る、フッ素化合物を含有する固体廃棄物を処理するシステムの例示的実施形態の略（プロセス系統）図である。
【発明を実施するための形態】
【００２９】
本発明は、その一部の実施形態では、フッ素化合物を含有する固体廃棄物の処理、およびその適用に関する。本発明の一部の実施形態は、例えば、フッ素化合物（フッ素含有化合物またはフッ素化化合物）を含有する材料および製品を製造する、または製造に関係する大規模な商業的プロセスに適用可能である。このプロセス中に、フッ素化合物を含有する大量の固体廃棄物が発生し、よってそのような固体廃棄物をハンドリングしまたは／かつ処理し、かつ廃棄処分する必要がある。
【００３０】
フッ素化合物を含有する材料および製品を製造する、または製造に関係する、大規模な商業的プロセスでは、大量の固体状の廃棄物が発生し、それは（例えば潜在的に有害なフッ素化合物を中和しまたは／かつ安定させるため）特別なハンドリングまたは／および処理を施した後、典型的にはごみ埋立地に廃棄処分する必要がある。そのような大規模な商業的プロセスは、中でも例えば資源（労働力、設備、材料）の活用、技術および安全上の考慮事項、ならびにコストに関与または関係する幾つかの要素によって特徴付けられ、それらは全て、固体廃棄物の特別なハンドリングまたは／および処理のみならず、固体廃棄物の埋立処理にも関連する。これらの要素は、フッ素化合物を含有する材料および製品の製造に関連する全体的な資源の活用、技術および安全上の考慮事項、ならびにコストに寄与する。
【００３１】
本発明の例示的実施形態は、フッ素化合物を含有する固体廃棄物を処理するための独特な方法（例えば混合、加熱、化学的処理、ならびにプロセスおよび機器の制御を含む）を提供する。本発明の例示的実施形態は、全体的な資源の活用、技術および安全上の考慮事項を改善し、または／かつフッ素化合物を含有する材料および製品の製造に関連する総コストを低減するために適用可能である。本発明の例示的実施形態は、比較的少量の追加廃棄物または／および副生物を生成する観点から非常に効率的である。本発明の例示的実施形態は、フッ素化合物を含有する固体廃棄物を処理する、非常に効率的で費用効果の高い方法を提供する。
【００３２】
本発明の一部の実施形態の例示的実施形態、代替的実施形態、特定の構成、ならびにそれらの追加的および任意選択的態様、特性、または特徴の、ステップまたは手順、サブステップまたは下位手順、ならびに機器および材料、システムユニット、システムサブユニット、装置、アセンブリ、サブアセンブリ、機構、構造、構成部品、要素、および構成、ならびに周辺機器、ユーティリティ、付属品、および材料、のみならず動作および実現も、以下の例証的説明および添付の図面を参照することにより、いっそうよく理解される。以下の例証的説明および添付の図面全体を通して、同一の参照表記および用語（すなわち数字、文字、符号）が一貫して使用され、同一のステップまたは手順、構造、構成部品、要素、または／および特徴を指し示す。本発明はその適用を、以下の例証的説明に記載する方法ステップまたは手順の特定の順序に、あるいは装置、機器、または／およびシステムの構成部品の構成または／および配設の特定の詳細に、必ずしも限定されないことを理解されたい。本発明は他の実施形態が可能であり、あるいは様々な仕方で実施または実行することが可能である。
【００３３】
本発明の一部の実施形態の一態様は、フッ素化合物を含有する固体廃棄物を処理する方法である。
【００３４】
ここで図面を参照すると、図１Ａは、フッ素化合物を含有する固体廃棄物を処理する方法の（参照番号１００として示され、かつそれによって言及される）例示的実施形態の流れ図であり、それに含まれる例示的ステップ（手順／プロセス）が示されている。図１Ａでは、この方法の例示的実施形態１００は、例えば１０４、１０８、１１２等の参照番号が割り当てられた別々のブロック（フレーム）によって表される、例示的ステップ（手順／プロセス）を含む。ここでは、フッ素化合物を含有する固体廃棄物を処理する方法は、「固体廃棄物処理方法」とも呼ばれる。
【００３５】
図１に示すように、非限定的に、かつ例示的実施形態１００のような一部の実施形態では、固体廃棄物処理方法は以下の例示的ステップ（手順／プロセス）を含む。
【００３６】
１０４で、フッ素化合物を含有する固体廃棄物が提供される。
【００３７】
１０８で、一般的に石灰として知られ、そのように呼ばれる、固体水酸化カルシウム［Ｃａ（ＯＨ）２（固体）］の供給が行われる。
【００３８】
１１２で、固体廃棄物と固体水酸化カルシウムとが混合され、それによってそれらの混合物が形成される。
【００３９】
１１６で、混合物は、化学的還元（非酸化）環境（すなわち、化学的酸化条件が存在せず、化学的還元条件が存在する環境）で加熱され、それによって固体フッ化カルシウム［ＣａＦ２（塩）］を含む加熱生成物が形成される。
【００４０】
１２０で、無害で安全に廃棄処分可能な物質が形成されるように、加熱生成物のハンドリングまたは／および処理が実施される。
【００４１】
本発明の例示的実施形態では、例示的ステップ（手順／プロセス）１０４、１０８、１１２、１１６、および１２０を実行する結果、フッ素化合物を含有する固体廃棄物が処理される。
【００４２】
例示的実施形態では、固体廃棄物処理方法はさらに、方法ステップ（手順／プロセス）１０４、１０８、１１２、１１６、および１２０、ならびにそれらを実行するために使用される関連機器の動作を制御し、かつそれらに関連するデータ情報を処理する、例示的ステップ（手順／プロセス）１２４を含む。さらに詳しくは、１２４では、方法ステップ（手順／プロセス）の動作、および１０４‐フッ素化合物を含有する固体廃棄物を提供するステップと、１０８‐固体水酸化カルシウムを供給するステップと、１１２‐固体廃棄物と固体水酸化カルシウムとを混合し、それによってそれらの混合物を形成するステップと、１１６‐化学的還元（非酸化）環境で混合物を加熱し、それによって固体フッ化カルシウムを含む加熱生成物を形成するステップと、１２０‐無害で安全に廃棄処分可能な物質を形成するように、加熱生成物をハンドリングしまたは／かつ処理するステップとを実行するために使用される関連機器の動作が制御され、かつそれらに関連するデータ情報が処理される。図１Ａで、固体廃棄物処理方法ステップ（手順／プロセス）、およびそれらを実行するために使用される関連機器のそのような制御および処理は、１２４から延びて、それぞれの方法ステップ（手順／プロセス）１０４、１０８、１１２、１１６、および１２０から延びる破線１２６ａ、１２６ｂ、１２６ｃ、１２６ｄ、および１２６ｅにつながる破線１２６によって概略的に表される。
【００４３】
図１Ｂは、例えば図１Ａに提示された固体廃棄物処理方法の例示的実施形態１００を介して形成される、加熱生成物をハンドリングしまたは／かつ処理する固体廃棄物処理方法ステップ（手順／プロセス）１２０の例示的ステップ（手順／プロセス）の流れ図である。
【００４４】
固体廃棄物処理方法の例示的実施形態では、加熱生成物をハンドリングしまたは／かつ処理するステップ（手順／プロセス）１２０は、例えば図１Ｂに提示するように、例示的ステップ（手順／プロセス）１３０および１３４を含んでよい。１３０で、無害で安全に廃棄処分可能な物質が室温になるように、（固体フッ化カルシウム［ＣａＦ２（塩）］を含む）加熱生成物の温度は室温まで低減される。これを行う理由は、昇温状態の加熱生成物と比較して、室温状態の無害で安全に廃棄処分可能な物質の方がより安全かつより簡便に取り扱うことができるからである。１３４で、無害で安全に廃棄処分可能な物質は廃棄処分される。
【００４５】
例示的実施形態では、加熱生成物をハンドリングしまたは／かつ処理するステップ（手順／プロセス）１２０の動作を制御し、かつそれに関連するデータ情報を処理するステップの一部として、例示的ステップ（手順／プロセス）１３０および１３４の動作が制御され、かつそれに関連するデータ情報が処理される。
【００４６】
本発明の一部の実施形態の別の態様は、フッ素化合物を含有する固体廃棄物を処理するシステムである。
【００４７】
フッ素化合物を含有する固体廃棄物を処理するシステムは、非限定的に、かつ一部の実施形態では、固体廃棄物投入ユニットと、固体水酸化カルシウム供給ユニットと、混合ユニットと、加熱ユニットと、生成物ハンドリング／生成物処理ユニットとを含む。一部の実施形態では、廃棄物処理システムはプロセス制御／データ情報処理ユニットをさらに含む。
【００４８】
図２は、フッ素化合物を含有する固体廃棄物を処理するシステムの（参照番号２００として示され、かつそれによって言及される）例示的実施形態の略（プロセス系統）図であり、それに含まれる例示的ユニット、装置、アセンブリ、構成部品、機能、および特徴が示されている。
【００４９】
図２に示すシステムの例示的実施形態２００は非限定的に、図１Ａおよび図１Ｂに提示する固体廃棄物処理方法の例示的実施形態１００のような、フッ素化合物を含有する固体廃棄物を処理する方法の例示的実施形態を実現するのに適している。同様に、図１Ａおよび図１Ｂに提示する方法の例示的実施形態１００は非限定的に、図２に提示する廃棄物処理システムの例示的実施形態２００のような、フッ素化合物を含有する固体廃棄物を処理するシステムの例示的実施形態を実現するのに適している。本明細書では、フッ素化合物を含有する固体廃棄物を処理するシステムは「廃棄物処理システム」とも呼ばれる。
【００５０】
図２に示すように、非限定的に、かつ例示的実施形態２００のような一部の実施形態では、廃棄物処理システムは以下の例示的（化学的プロセス／化学的処理）ユニット、すなわち固体廃棄物投入ユニット、固体水酸化カルシウム供給ユニット、混合ユニット、加熱ユニット、および生成物ハンドリング／生成物処理ユニットを含む。一部の実施形態では、廃棄物処理システムはさらにプロセス制御／データ情報処理ユニットを含む。
【００５１】
固体廃棄物投入ユニット２０６は、（フッ素化合物を含有する）固体廃棄物２０４を受け入れ、かつ収容するように構成され、かつ動作する。固体廃棄物２０４は固体廃棄物投入ユニット２０６を介して廃棄物処理システムに供給または投入され、かつ保持または収容容器（コンテナ）、例えば保持または収容容器（コンテナ）２０８に保持または収容される。
【００５２】
固体水酸化カルシウム供給ユニット２１０は、固体水酸化カルシウム［Ｃａ（ＯＨ）２］、例えば固体水酸化カルシウム２１２を固体廃棄物２０４に供給するように構成され、かつ動作する。固体水酸化カルシウム供給ユニット２１０は、固体水酸化カルシウム２１２を保持または収容するための保持または収容容器（コンテナ）、例えば保持または収容容器（コンテナ）２１４を含み、そこから固体水酸化カルシウム２１２は固体廃棄物２０４に供給される。
【００５３】
固体廃棄物投入ユニット２０６および固体水酸化カルシウム供給ユニット２１０に作動的に接続された混合ユニット２１６は、固体廃棄物２０４および固体水酸化カルシウム２１２を混合するように構成されかつ動作し、その中で固体廃棄物２０４および固体水酸化カルシウム２１２の混合物２１８が形成される。
【００５４】
混合ユニット２１６に作動的に接続された加熱ユニット２２０は、固体廃棄物２０４および固体水酸化カルシウム２１２の混合物２１８を化学的還元（非酸化）環境（すなわち、化学的酸化条件が存在せず、化学的還元条件が存在する環境）で加熱するように構成され、かつ動作し、その中で固体フッ化カルシウム［ＣａＦ２（塩）］２２２を含む加熱生成物が形成される。
【００５５】
加熱ユニット２２０に作動的に接続された生成物ハンドリング／生成物処理ユニット２２４は、加熱生成物２２２をハンドリングしまたは／かつ処理するように構成され、かつ動作し、その中で無害で安全に廃棄処分可能な物質２２６が形成される。
【００５６】
本発明の例示的実施形態では、固体廃棄物投入ユニット２０６、固体水酸化カルシウム供給ユニット２１０、混合ユニット２１６、加熱ユニット２２０、および生成物ハンドリング／生成物処理ユニット２２４を介して固体廃棄物２０４を処理する結果、フッ素化合物を含有する固体廃棄物２０４から無害で安全に廃棄処分可能な物質２２６が形成される。
【００５７】
例証として上述し、かつ図１Ａに示すように、例示的実施形態１００のような本発明の例示的実施形態では、固体廃棄物処理方法は、方法ステップ（手順／プロセス）、および１０４‐フッ素化合物を含有する固体廃棄物を提供するステップと、１０８‐固体水酸化カルシウムを供給するステップと、１１２‐固体廃棄物および固体水酸化カルシウムを混合し、それによりそれらの混合物を形成するステップと、１１６‐化学的還元（非酸化）環境で混合物を加熱し、それによって固体フッ化カルシウムを含む加熱生成物を形成するステップと、１２０‐無害で安全に廃棄処分可能な物質が形成されるように、加熱生成物をハンドリングしまたは／かつ処理するステップとを実行するために使用される関連機器の動作を制御し、かつそれらに関連するデータ情報を処理する、例示的ステップ（手順／プロセス）１２４をさらに含む。
【００５８】
したがって、図２に示すように、例示的実施形態２００のような本発明の例示的実施形態では、固体廃棄物処理システムは、他の固体廃棄物処理システムのプロセスユニット（およびそれらの構成部品）、すなわち、固体廃棄物投入ユニット２０６、固体水酸化カルシウム供給ユニット２１０、混合ユニット２１６、加熱ユニット２２０、および生成物ハンドリング／生成物処理ユニット２２４に作動的に接続され、かつそれらの動作を制御し、かつそれらに関連するデータ情報を処理するように構成された、プロセス制御／データ情報処理ユニット２２８をさらに含む。補足的に、例示的実施形態では、固体廃棄物処理システムのプロセスユニット（およびそれらの構成部品）、すなわち固体廃棄物投入ユニット２０６、固体水酸化カルシウム供給ユニット２１０、混合ユニット２１６、加熱ユニット２２０、および生成物ハンドリング／生成物処理ユニット２２４の各々は、プロセス制御／データ情報処理ユニット２２８に作動的に接続され、かつそれによって制御されるように構成される。プロセス制御／データ情報処理ユニット２２６と、他の固体廃棄物処理システムのプロセスユニット（およびそれらの構成部品）の各々との間の作動的接続および構成は、プロセス制御／データ情報処理ユニット２２８の周囲の点線両矢印２３０によって概略的に表される。
【００５９】
以下は、フッ素化合物を含有する固体廃棄物を処理する方法の例示的実施形態およびシステムの例示的実施形態の追加の例証的説明および詳細である。適宜、本発明の例示的実施形態の例示的図面（図）を参照する。例えば、非限定的に、かつ固体廃棄物処理方法の例示的実施形態１００（図１Ａ、図１Ｂ）のような一部の実施形態、および例証として記載する以下の例示的ステップ（手順／プロセス）、それらのサブステップ（下位手順／サブプロセス）、およびそれらの特徴において、図面を参照する。さらに、例えば、非限定的に、かつ固体廃棄物処理システムの例示的実施形態２００（図２）のような一部の実施形態、および例証として記載する以下の例示的構成部品（ユニット、装置、アセンブリ、機構、機器、構造）、それらの機能、およびそれらの特徴において、図面を参照する。
【００６０】
＞フッ素化合物を含有する固体廃棄物を提供するステップ／／固体廃棄物投入ユニット
フッ素化合物を含有する固体廃棄物、例えば固体廃棄物２０４は、例えば、フッ素化合物を含有する材料または製品の商業的生産者または製造者により提供／供給される。そのような材料または製品は、非限定的に、（有機または／および無機）タイプのフッ素化合物またはフッ素化タイプの（有機または／および無機）化合物から作られ、それらを含む。そのような有機タイプのフッ素化合物またはフッ素化タイプの有機化合物は、一般的に有機フッ化物化合物として知られ、そのように呼ばれる。
【００６１】
一般的に、かつ非限定的に、固体廃棄物２０４は、任意の数およびタイプまたは種類の有機または／および無機フッ素化合物（フッ素含有化合物またはフッ素化化合物）を含んでよい。
【００６２】
固体廃棄物投入ユニット２０６は、固体廃棄物２０４を受け入れ、かつ保持または収容するように構成され、かつ動作する、保持または収容容器（コンテナ）２０８を含み、固体廃棄物２０４はそこから（例えば化学物質［固体］輸送ライン２３２を介して）混合ユニット２１６に供給または投入される。
【００６３】
＞固体水酸化カルシウムを供給するステップ／／固体水酸化カルシウム供給ユニット
固体水酸化カルシウム供給ユニット２１０は、固体水酸化カルシウム［Ｃａ（ＯＨ）２（固体）］２１２を保持または収容するように構成されかつ動作する、保持または収容容器（コンテナ）２１４を含み、固体水酸化カルシウム２１２はそこから（例えば化学物質［固体］輸送ライン２３４を介して）混合ユニット２１６に供給される。
【００６４】
例示的実施形態では、固体廃棄物２０４のフッ素化合物中に含まれるフッ素の量または数量の化学量論的当量に相応する量または数量の固体水酸化カルシウム［Ｃａ（ＯＨ）２（固体）］２１２が供給される。例示的実施形態では、化学量論的当量は、固体廃棄物２０４のフッ素化合物中に含まれるフッ素の（モル）量または数量の化学量論的モル当量に置き換えられる。したがって、例示的実施形態では、固体廃棄物２０４のフッ素化合物中に含まれるフッ素の（モル）量または数量に相応する化学量論的（モル）量または数量の固体水酸化カルシウム２１２が供給される。
【００６５】
例示的実施形態では、固体廃棄物２０４に供給される固体水酸化カルシウム２１２の量または数量は、固体フッ化カルシウム［ＣａＦ２（塩）］２２２を形成するための、２つの反応物すなわち固体水酸化カルシウム２１２および固体廃棄物２０４の間の（加熱ユニット２２０の内部で起きる）化学反応が完全にまたは略完全に完了し、それによって各反応物の初期の全量または全数量が完全にまたは略完全に消費される一方、過剰な反応物がどちらも全く残らないか最小限しか残らず、形成される副生物も最小限の量または数量になるようにする。
【００６６】
＞固体廃棄物および固体水酸化カルシウムを混合するステップ／／混合ユニット
例示的実施形態では、最初に、固体廃棄物２０４が（例えば化学物質［固体］輸送ライン２３２を介して）混合ユニット２１６に供給または投入され、次いで、固体水酸化カルシウム２１２が、（すでに固体廃棄物２０４が収容されている）混合ユニット２１６に（例えば化学物質［固体］輸送ライン２３４を介して）供給される。代替的に、例示的実施形態では、最初に、固体水酸化カルシウム２１２が（例えば化学物質［固体］輸送ライン２３４を介して）混合ユニット２１６に供給され、次いで、固体廃棄物２０４が、（すでに固体水酸化カルシウム２１２が収容されている）混合ユニット２１６に（例えば化学物質［固体］輸送ライン２３２を介して）供給または投入される。
【００６７】
混合ユニット２１６は、固体廃棄物２０４および固体水酸化カルシウム２１２を受け入れ、かつ次いで混合するように構成され、かつ動作する、混合装置、例えば混合装置２３６を含み、その中で固体廃棄物２０４および固体水酸化カルシウム２１２の混合物２１８が形成される。
【００６８】
例示的実施形態では、混合装置２３６は、固体廃棄物２０４および固体水酸化カルシウム２１２のような固体を混合するように構成され、かつ動作する。例示的実施形態では、混合装置２３６は、例えば（粗状または／および微細状の）顆粒または／および粉末を混合するように構成され、かつ動作し、固体廃棄物２０４または／および固体水酸化カルシウム２１２は（粗または／および微細な）顆粒（粒状）または／および粉末状の固体（すなわち顆粒状または／および粉末状の固体）であり、それらにより形成される混合物２１８は、（粗または／および微細な）顆粒状または／および粉末状の固体である。例示的実施形態では、混合装置２３６は（粗または／および微細な）非顆粒状および非粉末状の固体廃棄物２０４または／および固体水酸化カルシウム２１２を混合するように構成され、かつ動作し、それらにより形成される混合物２１８は、（粗または／および微細な）非顆粒状または非粉末状の固体である。
【００６９】
例示的実施形態では、混合装置２３６は、混合物２１８が（例えば化学物質［固体］輸送ライン２３８を介して）加熱ユニット２２０に供給される前に、固体廃棄物２０４および固体水酸化カルシウム２１２の均一な混合物２１８を形成するために、混合装置２３６の内部で固体廃棄物２０４および固体水酸化カルシウム２１２の均一、徹底的、かつ完全な混合を確実にするように構成され、かつ動作する、１つ以上の混合アセンブリ、混合機構、または／および混合要素、例えば混合撹拌器または／および混合インペラを含む。
【００７０】
＞固体廃棄物および固体水酸化カルシウムの混合物を加熱するステップ／／加熱ユニット
固体廃棄物２０４および固体水酸化カルシウム２１２の混合物２１８は、化学的還元（非酸化）環境（すなわち化学的酸化条件が存在せず、化学的還元条件が存在する環境）で加熱され、それにより固体フッ化カルシウム［ＣａＦ２（塩）］を含む加熱生成物が形成される。
【００７１】
混合ユニット２１６に作動的に接続される加熱ユニット２２０は、固体廃棄物２０４および固体水酸化カルシウム２１２の混合物を化学的還元（非酸化）環境（化学的酸化条件が存在せず、化学的還元条件が存在する環境）で加熱するように構成され、かつ動作する。加熱ユニット２２０内で、固体フッ化カルシウム［ＣａＦ２（塩）］２２２を含む加熱生成物を形成するために、固体廃棄物２０４と固体水酸化カルシウム２１２との間で混合物２１８に化学反応が起きる。
【００７２】
加熱ユニット２２０は加熱装置、例えば加熱装置２４０を含み、加熱装置は次に、例えば投入アセンブリ、加熱室、および排出アセンブリを含む。例示的実施形態では、加熱装置２４０は、本明細書で一般的に１つ以上の加熱器と呼ばれる１つ以上の加熱アセンブリ、加熱機構、または／および加熱要素を含み、または／かつそれに作動的に接続され、かつそれによって熱を供給される。例示的実施形態では、加熱装置２４０は一種のオーブンとして、または一種の炉として構成され、かつ動作する。
【００７３】
例示的実施形態では、加熱装置２４０は加熱装置投入アセンブリ２４２、加熱室２４４、および加熱装置排出アセンブリ２４６を含む。
【００７４】
加熱装置投入アセンブリ２４２は、（［例えば化学物質［固体］輸送ライン２３８を介して］混合ユニット２１６から）、固体廃棄物２０４および固体水酸化カルシウム２１２の混合物２１８を加熱室２４４内に受け入れかつ通過させるように構成され、かつ動作する。
【００７５】
加熱室２４４は、固体廃棄物２０４および固体水酸化カルシウム２１２の混合物２１８を（混合ユニット２１６から）受け入れ、保持または収容し、かつ加熱するように構成され、かつ動作し、混合物２１８は化学的に反応して（固体フッ化カルシウム［ＣａＦ２（塩）］のみならず、他の可能な固体反応生成物をも含む）加熱生成物２２２を形成する。
【００７６】
例示的実施形態では、加熱装置２４０は、加熱室２４４が１つ以上の加熱器（加熱アセンブリ、加熱機構、または／および加熱要素）を含み、または／かつそれに作動的に接続され、かつそれによって熱を供給されるように構成され、かつ動作する。例えば、図２では、１つ以上の加熱器は、２４８で参照される１対の加熱器によって概略的に表される。そこに示すように、非限定的に、加熱器２４８は加熱室２４４の外部に構成される。例示的実施形態では、加熱器２４８は追加的に、または代替的に、加熱室２４４の内部に構成されてよい。例示的実施形態では、１つ以上の加熱器（加熱アセンブリ、加熱機構、または／および加熱要素）は、例えば抵抗型電気加熱器として、電気によって動作する。
【００７７】
加熱装置排出アセンブリ２４６は、（固体フッ化カルシウム［ＣａＦ２（塩）］のみならず、他の可能な固体反応生成物をも含む）形成された加熱生成物２２２を加熱室２４４の外に（制御可能に）通過させるように構成され、かつ動作する。加熱生成物２２２の加熱装置２４０の加熱室２４４の外へのそのような（制御可能な）通過および排出を達成するために、例示的実施形態では、加熱装置排出アセンブリ２４６は出口フランジを含み、あるいはそれに作動的に接続される。代替的に、または追加的に、例示的実施形態では、加熱装置排出アセンブリ２４６は、出口弁アセンブリまたは機構、例えば出口弁アセンブリまたは機構２６２を含み、あるいはそれに作動的に接続される。
【００７８】
化学反応の加熱、温度、圧力条件／パラメータ、特性
例示的実施形態では、一般的に加熱ユニット２２０、および特に（加熱室２４４を含む）加熱装置２４０は、固体フッ化カルシウム［ＣａＦ２（塩）］２２２を含む加熱生成物の形成を達成するために、固体水酸化カルシウム２１２および固体廃棄物２０４の混合物２１８を化学的還元（非酸化）環境（化学的酸化条件が存在せず、化学的還元条件が存在する環境）で加熱するように構成され、かつ動作する。
【００７９】
例示的実施形態では、一般的に加熱ユニット２２０、および特に（加熱室２４４を含む）加熱装置２４０は、固体水酸化カルシウム２１２および固体廃棄物２０４の混合物２１８を例えば比較的高温で加熱するように構成され、かつ動作し、（加熱プロセス中の）動作温度は約４００℃〜約８００℃の範囲である。例示的実施形態では、一般的に加熱ユニット２２０、および特に加熱装置２４０は、固体水酸化カルシウム２１２および固体廃棄物２０４の混合物２１８を約５００℃の温度で加熱するように構成され、かつ動作する。比較的高温のそのような加熱条件を達成するために、例示的実施形態では、加熱器２４８（加熱アセンブリ、加熱機構、または／および加熱要素）は、加熱室２４４内で約４００℃〜約８００℃の範囲の動作温度、例えば約５００℃の温度が得られるように、加熱プロセス中に加熱室２４４に熱を供給／提供するように構成され、かつ動作する。
【００８０】
例示的実施形態では、一般的に加熱ユニット２２０、および特に（加熱室２４４を含む）加熱装置２４０は、固体フッ化カルシウム［ＣａＦ２（塩）］２２２を含む加熱生成物の形成を達成するために、加熱プロセス中に化学的還元環境（すなわち化学的酸化条件が存在せず、化学的還元条件が存在する環境）を提供するように構成され、かつ動作する。加熱プロセス中に、酸素ガスまたは／および他の可能な酸化型のガスが形成されることがあり、加熱室２４４の内部に化学的酸化条件をもたらすおそれがあり、望ましくない。加えて、加熱プロセス中に、有害なフッ化水素ガス［ＨＦ（ガス）］も形成されることがある。図２では、加熱プロセス中に形成されるガスは一般的に小円２５０で参照される。
【００８１】
化学的還元環境（すなわち化学的酸化条件が存在せず、化学的還元条件が存在する環境）を提供するためだけでなく、加熱プロセス中に形成されることのあるフッ化水素ガス［ＨＦ（ガス）］を除去（排気）するためにも、例示的実施形態では、一般的に加熱ユニット２２０、および特に（加熱室２４４を含む）加熱装置２４０は、加熱プロセス中に形成されるガスを除去（排気）するように構成され、かつ動作する。単数または複数の酸化ガス２５０のそのような除去（排気）を達成するために、例示的実施形態では、一般的に加熱ユニット２２０、および特に（加熱室２４４を含む）加熱装置２４０は、本明細書では一般的に１つ以上のガス除去（排気）装置と呼ばれる１つ以上のガス除去（排気）アセンブリまたは／およびガス除去（排気）機構を含み、または／かつそれに作動的に接続される。
【００８２】
例えば、図２に示すように、加熱ユニット２２０は、（例えば化学物質［気体］輸送ライン２５４を介して）加熱装置２４０の加熱室２４４に作動的に接続され、かつ加熱プロセス中に加熱装置２４０の加熱室２４４の内部で形成されるガス２５０を除去（排気、ポンプで排出）するように構成された、真空ポンプのようなガス除去（排気）装置、例えばガス除去（排気）装置２５２を含む。
【００８３】
本発明の一部の実施形態では、例えば加熱プロセス中に加熱装置２４０の加熱室２４４の内部で形成され、かつ例えばガス除去（排気）装置２５２によって除去（排気、ポンプで排出）される有害なフッ化水素［ＨＦ（ガス）］）を含むガス２５０は次いで、本明細書では一般的に１つ以上のガス洗浄（スクラビング）装置と呼ばれる、例えば１つ以上のガス洗浄（スクラビング）アセンブリまたは／およびガス洗浄（スクラビング）機構の作業を含む、ガス洗浄（スクラビング）プロセスを受ける。そのような例示的実施形態、例えば例示的実施形態２００では、廃棄物処理システムは、加熱プロセス中に加熱装置２４０の加熱室２４４の内部に形成されたガス２５０を洗浄（スクラビング）するように構成され、かつ動作する。そのような例示的実施形態では、例えば加熱ユニット２２０は、ガス洗浄（スクラビング）装置、例えばガススクラバ２５６を含み、または／かつそれに作動的に接続される。例示的実施形態では、加熱プロセス中に加熱装置２４０の加熱室２４４の内部で形成され、かつ例えばガス除去（排気）装置２５２によって除去（排気、ポンプで排出）されるガス２５０は、次いで、例えば化学物質［気体］輸送ライン２５８を介して、ガススクラバ２５６に送られる。
【００８４】
例示的実施形態では、一般的に加熱ユニット２２０、および特に（加熱室２４４を含む）加熱装置２４０は、例えば、大気圧より低い圧力、例えば約０．１気圧（ａｔｍ）［７６．０ｍｍＨｇ］から大気圧より高い圧力、例えば約２気圧（ａｔｍ）［１５２０ｍｍＨｇ］にまたがる比較的広範囲の動作圧力下で、固体水酸化カルシウム２１２および固体廃棄物２０４の混合物２１８を加熱するように構成され、かつ動作する。示された圧力範囲内でそのような加熱環境を達成するために、例示的実施形態では、ガス除去（排気）装置２５２（例えば真空ポンプ）は、加熱室２４４内に約０．１気圧（ａｔｍ）［７６．０ｍｍＨｇ］〜約２気圧（ａｔｍ）［１５２０ｍｍＨｇ］の範囲の動作圧力を得るために、加熱プロセス中に加熱室２４４の内部からガス２５０を除去（排気、ポンプで排出）するように構成され、かつ動作する。
【００８５】
化学反応の物質移動条件／パラメータ、特性
例示的実施形態では、一般的に加熱ユニット２２０、および特に（加熱室２４４を含む）加熱装置２４０は、固体水酸化カルシウム２１２および固体廃棄物２０４の加熱混合物２１８、ならびに（本質的に固体フッ化カルシウム［ＣａＦ２（塩）］およびそれにより形成される比較的少量の他の可能な固体反応生成物から成る）固体反応生成物２２２を、加熱プロセス中に（例えば加熱プロセスの開始から終了まで）、加熱装置２４０（加熱室２４４）を介して、加熱装置投入アセンブリ２４２から、加熱室２４４を介してかつそこから加熱装置排出アセンブリ２４６内に向かって（強制的に）移送（輸送、移動）させるように構成され、かつ動作する。加熱プロセス中の加熱混合物２１８（およびそれにより形成される加熱固体反応生成物２２２）の加熱装置２４０（加熱室２４４）を介するそのような（強制的）物質移動（輸送、移動）を達成するために、例示的実施形態では、一般的に加熱ユニット２２０、および特に（加熱室２４４を含む）加熱装置２４０は、本明細書で一般的に１つ以上の強制物質移送装置と呼ばれる１つ以上の強制物質移動アセンブリ、または／および強制物質移動機構を含む。
【００８６】
例えば、図２に示すように、加熱ユニット２２０は、（加熱室２４４の内部を介して）加熱装置２４０の一部として含まれかつその内部に位置する強制物質移送装置、例えば強制物質移送装置２６０（非限定的に、三叉型の構造として表現されかつ具現される）を含む。強制物質移送装置２６０は、固体水酸化カルシウム２１２および固体廃棄物２０４の加熱混合物２１８、およびそれにより形成された加熱固体反応生成物２２２を、加熱プロセス中に（例えば加熱プロセスの開始から終了まで）、加熱装置２４０（加熱室２４４）を介して、加熱装置投入アセンブリ２４２から、加熱室２４４を介してかつそこから加熱装置排出アセンブリ２４６内に向かって、（強制的に）移送（輸送、移動）させるように構成され、かつ動作する。例えば、図２では、加熱プロセス中の加熱混合物２１８およびそれにより形成された加熱固体反応生成物２２２の加熱装置２４０（加熱室２４４）を介するそのような強制的物質移送（輸送、移動）は、強制物質移送装置２６０の周囲の３つの破線矢印によって表される。
【００８７】
例示的実施形態では、強制物質移送装置２６０は、例えば制御可能に回転可能なスクリュの形で、または同様の形状構成および動作型の回転可能な構成部品（構造、要素）の形で、制御可能に回転するように構成されかつ動作する１つ以上の制御可能に回転可能な構成部品（構造、要素）を含む。強制物質移送装置２６０の例示的実施形態では、１つ以上の制御可能に回転可能な構成部品（構造、要素）の各々は、加熱プロセス中（例えば加熱プロセスの開始から終了まで）の動作速度または回転率が、約１回転／分（ｒｐｍ）〜約３０回転／分（ｒｐｍ）の範囲になるように、回転するように構成され、かつ動作する。
【００８８】
強制物質移送装置２６０の例示的実施形態では、制御可能に回転可能なスクリュまたは同様の形状構成および動作型の回転可能な構成部品（構造、要素）は、実質的に不活性または非反応性であって加熱プロセス中に固体水酸化カルシウム２１２および固体廃棄物２０４の加熱混合物２１８、またはそれにより形成された加熱固体反応生成物２２２に化学的に影響しない（すなわち、それらと化学的に反応せず、あるいはそれらの化学反応を起こさない）、１タイプ以上または１種類以上の（不活性、非反応性）材料、例えば高品位ステンレス鋼から作られる。回転可能なスクリュの構造のそのような例示的材料は、加熱室２４４の内部の様々な加熱成分の強制物質移送中に起こり得る望ましくない副反応を防止し、あるいは少なくとも最小限に止める。
【００８９】
化学反応（加熱室）滞留時間条件／パラメータ、特性
固体廃棄物２０４および固体水酸化カルシウム２１２の混合物２１８を加熱し、それにより固体フッ化カルシウム［ＣａＦ２（塩）］２２２を含む加熱生成物を形成するために、加熱装置２４０の加熱室２４４内部における反応物および生成物ならびに従って化学反応の総滞留時間（期間）は、幾つかのプロセス動作条件およびパラメータの関数である。例示的プロセス動作条件およびパラメータは以下の通りである。
【００９０】
（ｉ）加熱プロセス中の加熱装置２４０（加熱室２４４）の内部の温度および圧力条件。化学反応（加熱室）滞留時間は、加熱室２４４の内部で固体廃棄物２０４および固体水酸化カルシウム２１２の混合物２１８の加熱中に起きる化学反応の化学反応速度の関数である。次に、加熱室２４４の内部で起きる化学反応の化学反応速度は、加熱プロセス中の動作温度および動作圧力の関数である。
【００９１】
（ｉｉ）固体廃棄物２０４中のフッ素化合物の初期相対量または割合に照らした、固体廃棄物２０４の初期化学組成または構成。
【００９２】
（ｉｉｉ）加熱ユニット２２０の加熱装置２４０（加熱室２４４）内に供給される固体廃棄物２０４および固体水酸化カルシウム２１２の混合物２１８の総量または総数量（質量、重量、体積）。それは次に、混合ユニット２１６に供給投入される固体廃棄物２０４および固体水酸化カルシウム２１２の初期量または数量（質量、重量、体積）に基づく。例えば、例示的実施形態では、混合ユニット２１６に供給投入される固体水酸化カルシウム２１２の初期量または数量（質量、重量）は、固体廃棄物２０４のフッ素化合物中に含まれるフッ素［Ｆ］の量または数量の化学量論的当量に相応する量または数量の固体水酸化カルシウム２１２が供給されることに基づく。
【００９３】
（ｉｖ）加熱装置２４０（加熱室２４４）を介し、加熱装置投入アセンブリ２４２から、加熱室２４４を介してそこから外部に、かつ加熱装置排出アセンブリ２４６内に向かう、加熱中の固体水酸化カルシウム２１２および固体廃棄物２０４の加熱混合物２１８、ならびにそれにより形成される（本質的に固体フッ化カルシウムから成る）加熱固体反応生成物２２２の強制物質移送速度。強制物質移送装置２６０のような強制物質移送装置の動作を含む例示的実施形態では、加熱室２４４を介する加熱プロセス中の加熱混合物２１８および加熱固体反応生成物２２２の強制物質移送速度は、強制物質移送装置２６０の１つ以上の制御可能に回転可能な構成部品（構造、要素）の動作速度または回転率の一次関数である。例示的実施形態では、加熱プロセス中の加熱混合物２１８の強制物質移送速度は、加熱混合物２１８の内部だけでなく加熱室２４４全体でも起きる熱伝達の速度に影響を及ぼす。これは次に、加熱プロセス中に起きる化学反応速度に影響を及ぼすことがあり、それは次に、総化学反応（加熱室）滞留時間に影響を及ぼすことがある。
【００９４】
実際に観察される化学反応（加熱室）総滞留時間は、上述した例示的プロセス動作条件およびパラメータの何らかの関数となる。例示的実施形態では、固体廃棄物２０４および固体水酸化カルシウム２１２の混合物を加熱し、それによって固体フッ化カルシウム［ＣａＦ２（塩）］２２２を含む加熱生成物を形成するために、加熱装置２４０の加熱室２４４の内部における化学反応（加熱室）滞留時間（期間）は約２０分（ｍｉｎ）〜約６０分（ｍｉｎ）の範囲内であり、例えば約４０分（ｍｉｎ）である。
【００９５】
化学反応出口条件／パラメータ、特性
例示的実施形態では、加熱プロセス中に加熱ユニット２２０内で形成される（本質的に固体フッ化カルシウム［ＣａＦ２（塩）］から成る）加熱生成物２２２は、加熱装置排出アセンブリ２４６を通過することによって、加熱装置２４０の加熱室２４４から退出する。例示的実施形態では、加熱生成物２２２は出口フランジを通過し、次いで出口弁アセンブリまたは機構を通過し、その直後に、加熱生成物２２２はさらなるハンドリング、または／および処理、または／および使用のために回収される。
【００９６】
加熱装置２４０の加熱室２４４から外への加熱生成物２２２のそのような通過および退出を達成するために、例示的実施形態では、加熱装置排出アセンブリ２４６は出口フランジを含み、あるいはそれに作動的に接続される。代替的に、または追加的に、例示的実施形態では、加熱装置排出アセンブリ２４６は、出口弁アセンブリまたは機構、例えば出口弁アセンブリまたは機構２６２を含み、あるいはそれに作動的に接続される。
【００９７】
例示的実施形態では、出口弁アセンブリまたは機構、例えば出口弁アセンブリまたは機構２６２は、制御可能なタイミングで、例えば予め定められた開閉タイミングスケジュールに従って、制御可能に開閉するように構成され、かつ動作する。それによって、加熱室２４４への空気（酸素の）逆流を最小限に抑えて、加熱生成物２２２がそこを迅速に通過することが可能になる。例示的実施形態では、出口弁アセンブリまたは機構２６２は、制御されたタイミングで、例えば予め定められた開閉タイミングスケジュールに従って、制御可能に開閉するように構成され、かつ動作するナイフ弁または／およびダブルゲート弁を含み、それにより、加熱室２４４への空気（酸素）の逆流を最小限に抑えて、加熱生成物２２２がそこを迅速に通過することが可能になる。
【００９８】
例示的実施形態では、例えば加熱装置排出アセンブリ２４６を介して加熱ユニット２２０から退出し、かつ出口弁アセンブリまたは機構２６２を通過した後、固体フッ化カルシウム［ＣａＦ２（塩）］２２２を含む（高温の）加熱生成物は、（例えば化学物質［固体］輸送ライン２６４を介して）例えば生成物回収容器またはコンテナ２６６に移送され、その中に回収される。
【００９９】
化学反応生成物の特性
上述の通り、例示的実施形態では、固体廃棄物２０４に（化学量論的当量で）供給される固体水酸化カルシウム２１２の量または数量は、本質的に固体フッ化カルシウム［ＣａＦ２（塩）］から成る加熱生成物２２２を形成するための、２つの反応物、固体水酸化カルシウム２１２および固体廃棄物２０４の間の（加熱ユニット２２０の内部で起きる）化学反応が完全にまたは略完全に完了し、それによって各反応物の本質的に初期の全量または全数量が本質的に完全に消費される一方、過剰な反応物がどちらも本質的に全く残らず、副生物も本質的に形成されないようにする。したがって、例示的実施形態では、加熱プロセスが完了すると、加熱生成物２２２の化学反応生成物プロファイル／分布は本質的に、純粋な（略１００％の）（白色）固体フッ化カルシウム［ＣａＦ２（塩）］から成る。最初に提供された固体廃棄物２０４中に存在した本質的に全てのフッ素化合物は、（白色の）固体フッ化カルシウム［ＣａＦ２（塩）］の生成物を形成するために、最初に供給された固体水酸化カルシウム［Ｃａ（ＯＨ）２］２１２と反応した。
【０１００】
例示的実施形態では、固体廃棄物処理技術（方法およびシステム）は、結果的に比較的少量の廃棄物を生じる。例えば、加熱プロセスが完了したとき、生成された唯一の廃棄物は、加熱プロセス中に加熱装置２４０の加熱室２４４の内部に形成されたガス２５０を除去（排気、ポンプで排出）したガス除去（排気）装置、例えばガス除去（排気）装置２５２（真空ポンプ）の内部に形成された比較的少量の凝縮水である。そのような凝縮水は、フッ化カルシウム［ＣａＦ２（塩）］以外の塩を比較的少量含むことがあり、かつ比較的少量の液相フッ化水素（フッ化水素酸）［ＨＦ（液体）］をも含むことがある。例示的実施形態では、そのような凝縮水は、加熱ユニット２２０の加熱室２４４内に投入された混合物２１８（固体廃棄物２０４＋固体水酸化カルシウム２１２）の総量の約５％（重量／重量）未満を占める。したがって、固体廃棄物処理技術は、比較的少量の廃棄物または／および副生物を生じるという点で、比較的高効率である。
【０１０１】
＞加熱生成物のハンドリングまたは／および処理を施すステップ／／生成物ハンドリング／処理ユニット
例示的実施形態では、固体フッ化カルシウム［ＣａＦ２（塩）］２２２を含む回収された加熱生成物は一部分または全部が、例えば生成物ハンドリング／生成物処理ユニット、例えば生成物ハンドリング／生成物処理ユニット２２４によるさらなるハンドリングまたは／および処理を受ける。例示的実施形態では、生成物ハンドリング／生成物処理ユニット２２４は、（例えば生成物回収容器またはコンテナ２６６、および化学物質［固体］輸送ライン２６８を介して）加熱ユニット２２０に作動的に接続され、無害で安全に廃棄処分可能な物質、例えば無害で安全に廃棄処分可能な物質２２６を形成するために、回収された加熱生成物２２２をさらにハンドリングしまたは／かつ処理するために利用される。
【０１０２】
再び図１Ｂを参照する。これは、例えば図１Ａに提示する固体廃棄物処理方法の例示的実施形態１００を介して形成された加熱生成物をハンドリングしまたは／かつ処理する、固体廃棄物処理方法ステップ（手順／プロセス）１２０の例示的ステップ（手順／プロセス）の流れ図である。
【０１０３】
例示的実施形態では、ステップ（手順／プロセス）１２０は、（加熱ユニット２２０の内部で約４００℃〜約８００℃の範囲の動作温度で形成された）固体フッ化カルシウム［ＣａＦ２（塩）］２２２を含む回収された（高温の）加熱生成物の温度を室温まで低減させて、無害で安全に廃棄処分可能な物質２２６を形成する、例示的ステップ（手順／プロセス）１３０を含む。例示的実施形態では、そのような温度の低減は、周囲空気および圧力条件下で達成される。例示的実施形態では、そのような温度の低減は、加熱生成物２２２の温度を自然に室温まで低減させることによって、または／かつ加熱生成物２２２の温度を強制的に（例えば冷却手段を介して）室温まで低減させることによって達成される。
【０１０４】
例示的実施形態では、ステップ（手順／プロセス）１２０は、無害で安全に廃棄処分可能な物質２２６を廃棄処分する例示的ステップ（手順／プロセス）１３４をさらに含む。
【０１０５】
図２に示す例示的実施形態２００のような固体廃棄物処理システムの例示的実施形態では、生成物ハンドリング／生成物処理ユニット２２４は、無害で安全に廃棄処分可能な物質２２６が形成されかつ得られるように、回収された加熱生成物２２２をハンドリングしまたは／かつ処理する、固体廃棄物処理方法ステップ（手順／プロセス）１２０の例示的ステップ（手順／プロセス）を実行するように構成され、かつ動作する。例えば、生成物ハンドリング／生成物処理ユニット２２４は、無害で安全に廃棄処分可能な物質２２６が形成されるように、固体フッ化カルシウム［ＣａＦ２（塩）］２２２を含む回収された（高温の）加熱生成物の温度を室温まで低減させるために必要な機器および装置を含む。例えば、生成物ハンドリング／生成物処理ユニット２２４は、無害で安全に廃棄処分可能な物質２２６の廃棄処分を容易にするために必要な機器および装置を含む。
【０１０６】
＞方法およびシステムの動作を制御し、方法およびシステムに関連するデータ情報を処理するステップ／／プロセス制御／データ情報処理ユニット
図１Ａおよび図１Ｂに提示する固体廃棄物処理方法の例示的実施形態１００、ならびに図２に提示する固体廃棄物処理システムの例示的実施形態２００のような、本発明の例示的実施形態では、プロセス制御／データ情報処理ユニット２２８を介して、方法ステップ（手順／プロセス）の動作、およびフッ素化合物を含有する固体廃棄物２０４を提供するステップと、固体水酸化カルシウム２１２を供給するステップと、固体廃棄物２０４および固体水酸化カルシウム２１２を混合し、それによってそれらの混合物２１８を形成するステップと、固体フッ化カルシウム２２２を含む加熱生成物を形成するために、混合物２１８を化学的還元（非酸化）環境で加熱するステップと、無害で安全に廃棄処分可能な物質２２６が形成されるように、加熱生成物２２２をハンドリングしまたは／かつ処理するステップとを実行するために使用される関連機器の動作が制御され、かつそれらに関連するデータ情報が処理される。
【０１０７】
図１Ａでは、固体廃棄物処理方法ステップ（手順／プロセス）およびその実行に使用される関連機器の制御および処理は、１２４から延びて、それぞれの方法ステップ（手順／プロセス）１０４、１０８、１１２、１１６、および１２０から延びる破線につながる破線１２６によって概略的に表される。図２では、固体廃棄物処理方法ステップ（手順／プロセス）およびその実行に使用される関連機器のそのような制御および処理のみならず、プロセス制御／データ情報処理ユニット２２６と他の固体廃棄物処理システムプロセスユニット（およびそれらの構成部品）、すなわち固体廃棄物投入ユニット２０６、固体水酸化カルシウム供給ユニット２１０、混合ユニット２１６、加熱ユニット２２０、および生成物ハンドリング／生成物処理ユニット２２４の各々との間の作動的接続および構成も同様に、プロセス制御／データ情報処理ユニット２２８の周囲の点線両矢印２３０によって概略的に表される。
【０１０８】
例示的実施形態２００のような例示的実施形態では、一般的に固体廃棄物処理システムおよび特にプロセス制御／データ情報処理ユニット２２８は、システムプロセスユニット、構成部品、アセンブリ、機構、および作動的接続の多数の動作パラメータおよび状態の自動の電気的および／または電子的動作、制御、および監視（計測）を含む。
【０１０９】
例示的実施形態では、システムプロセスユニット、構成部品、およびアセンブリ、機構と電源およびプロセス制御機器との間の、電気的または／および電子的制御データ、情報、およびコマンド、通信信号の電気的または／および電子的入出力、フィードフォワードおよびフィードバック送受信は、（有線または／および無線による）電気的または／および電子的入出力制御データ、情報、およびコマンド通信ラインによって提供され、それは例えばケーブル、ワイヤバンドル、または／およびワイヤバスを含んでよい。
【０１１０】
例示的実施形態では、プロセス制御／データ情報処理ユニット２２８と、他のシステムプロセスユニット（およびそれらの構成部品）、すなわち固体廃棄物投入ユニット２０６、固体水酸化カルシウム供給ユニット２１０、混合ユニット２１６、加熱ユニット２２０、および生成物ハンドリング／生成物処理ユニット２２４の各々との間の作動的接続および構成は、例えば図２にこれもまた点線両矢印２３０によって表す、入出力データ情報制御信号通信ラインの（有線または／および無線による）電気的または／および電子的ネットワークの形を取る。
【０１１１】
システムプロセスユニットおよびそれらの構成部品の追加の例示的な構造上、機能上、および動作上の特徴
以下で、図２に示す例示的実施形態２００のような、固体廃棄物処理システムの一部の実施形態の追加の例示的な構造上、機能上、および動作上の特徴について記載する。これらは、様々なシステムプロセスユニット（およびそれらの構成部品）、すなわち固体廃棄物投入ユニット２０６、固体水酸化カルシウム供給ユニット２１０、混合ユニット２１６、加熱ユニット２２０、および生成物ハンドリング／生成物処理ユニット２２４、ならびにそれらの間の多数の作動的接続に関係する。
【０１１２】
例示的実施形態では、プロセスユニット、構成部品、アセンブリ、または／および機構のいずれか１つ以上は、それ自体の別個の（ローカル）電源および（ローカル）プロセス制御機器を含んでよく、それによって例えば、そのような局所化された電源およびプロセス制御機器は、プロセス制御／データ情報処理ユニット２２８に作動的に接続され、かつそれと連携して動作するように構成される。代替的に、プロセスユニット、構成部品、アセンブリ、または／および機構のいずれか１つ以上は、集中（グローバル）電源に直接作動的に接続されてよい。例えば、それは集中（グローバル）プロセス制御／データ情報処理ユニット２２８に作動的に接続され、あるいは関連させてよい。
【０１１３】
例示的実施形態では、そのような電源は、直流または／および交流電圧または／および電流の形の同期的、順次的（逐次的）、周期的、非周期的、または非同期的な電力供給を含む、様々なタイプの空間的または／および時間的電力構成、モード、フォーマット、スキーム、およびスケジュールのいずれかに従って、固体廃棄物処理システムのシステムプロセスユニット、構成部品、アセンブリ、機構に電力を供給するように構成された、多機能多重動作型の電源である。そのような電源は、プロセス制御／データ情報処理ユニット２２８と連係して動作するように構成される。
【０１１４】
例示的実施形態では、固体廃棄物処理システムは、パイプ、チューブ、接続要素、アダプタ、管継手、ポンプ、弁、ベント、ファン、スイッチのような適切な固体または／および流体（物質）移送装置と、固体または／および流体（物質）流量コントローラ、流量計、およびセンサのような流体（物質）流量制御、計量、感知、および計測装置と、それらに関連する機構、アセンブリ、構成部品、および要素をも含む。それらは、システムプロセスユニット、構成部品、およびアセンブリが、本明細書で例証的に説明した機能および動作を完全に達成できるように、適切な材料で作られる。
【０１１５】
例示的実施形態では、固体廃棄物処理システムは、加熱器、加熱ジャケット、加熱要素、断熱材、パイプ、チューブ、接続要素、アダプタ、管継手、弁、ベント、ファン、スイッチのような適切な加熱および熱伝達機器と、温度コントローラ、センサ、および熱電対のような熱（温度）制御、感知、および計測装置と、それらに関連する機構、アセンブリ、構成部品、および要素をも含む。それらは、システムプロセスユニット、構成部品、およびアセンブリが、本明細書で例証的に説明した機能および動作を完全に達成できるように、適切な材料で作られる。
【０１１６】
追加の実施形態、実現、実施、および適用
本発明の追加の実施形態、実現、実施、および適用は以下の通りである。
【０１１７】
非限定的に、本発明の一部の実施形態は、他のハロゲン化合物（すなわちハロゲン化有機または／および無機化合物）を含有する固体廃棄物を処理するのに適切であり得る。
【０１１８】
例えば、固体廃棄物中のフッ素化合物はフッ素［Ｆ］を含むので、かつフッ素はハロゲン族の元素の一員であるので、本発明の一部の実施形態は、臭素化合物、塩素化合物、または／およびヨウ素化合物のような他のハロゲン化合物を単独で、または組合せて含有する固体廃棄物を処理するのに適切であり得る。
【０１１９】
加えて、例えば、本明細書で例証的に上述した本発明の例示的実施形態は、フッ素化合物を含有する固体廃棄物と混合し、アルカリ土類（カルシウム）フッ化物塩、すなわち固体フッ化カルシウム［ＣａＦ２（塩）］を形成するために、アルカリ土類元素カルシウムの固体水酸化物形態、すなわち固体水酸化カルシウム［Ｃａ（ＯＨ）２（固体）］（石灰）を使用することを含む。本発明の例示的実施形態は、固体廃棄物と混合して、それぞれのアルカリ土類フッ化物塩、すなわちフッ化ベリリウム［ＢｅＦ２（塩）］、フッ化マグネシウム［ＭｇＦ２（固体）］、フッ化ストロンチウム［ＳｒＦ２（固体）］、または／およびフッ化バリウム［ＢａＦ２（固体）］を形成するために、固体水酸化ベリリウム［Ｂｅ（ＯＨ）２（固体）］、固体水酸化マグネシウム［Ｍｇ（ＯＨ）２（固体）］、固体水酸化ストロンチウム［Ｓｒ（ＯＨ）２（固体）］、または／および固体水酸化バリウム［Ｂａ（ＯＨ）２（固体）］のような固体水酸化物形態の他のアルカリ土類元素を使用することによって、実現または実施されてよい。
【０１２０】
本明細書で使用される単数の文法的形態で書かれた用語（「ａ」、「ａｎ」及び「ｔｈｅ」）の各々は、「少なくとも１つ」又は「１つ以上」を意味する。本明細書で使用される句「１つ以上」の使用は、「ａ」、「ａｎ」又は「ｔｈｅ」のこの意図した意味を変更しない。従って、本明細書で使用される用語「ａ」、「ａｎ」、及び「ｔｈｅ」はまた、本明細書で他で特別に規定されたり又は述べない限り、又は本明細書で他で明確に示さない限り、述べられたエンティティ又は対象の複数を示し、それを包含することができる。例えば、本明細書で使用される句「ユニット」、「装置」、「アセンブリ」、「機構」、「構成要素」、「要素」、及び「ステップ又は手順」はまた、それぞれ複数のユニット、複数の装置、複数のアセンブリ、複数の機構、複数の構成要素、複数の要素、及び複数のステップ又は手順を示し、それを包含することができる。
【０１２１】
本明細書で使用される用語「含む（「ｉｎｃｌｕｄｅｓ」、「ｉｎｃｌｕｄｉｎｇ」）」、「有する（「ｈａｓ」、「ｈａｖｉｎｇ」）」、「含む（「ｃｏｍｐｒｉｓｅｓ」、「ｃｏｍｐｒｉｓｉｎｇ」）」、及びそれらの言語上／文法上の変形、派生形、及び／又は活用形は、述べられた構成要素、特徴、特性、パラメータ、整数、又はステップを含むがそれらに限定されないことを意味し、それらを特定するものとしてとられるべきであり、１つ以上の追加の構成要素、特徴、特性、パラメータ、整数、ステップ、又はそれらの群を除外しない。これらの用語の各々は、句「から本質的になる」に等しい意味と考えられる。
【０１２２】
本明細書で使用される句「からなる（「ｃｏｎｓｉｓｔｉｎｇ  ｏｆ」、「ｃｏｎｓｉｓｔｓ  ｏｆ」）は、「含むが限定されない」を意味する。
【０１２３】
本明細書で使用する場合、語句「本質的に〜から成る（「ｃｏｎｓｉｓｔｉｎｇ  ｅｓｓｅｎｔｉａｌｌｙ  ｏｆ」）」は、明記されたエンティティ、物体、またはアイテム、例えば、開示する発明の例示的実施形態の全体または一部であり、または／かつ開示する発明の例示的実施形態を実現するために使用される、上述した（基本的に固体フッ化カルシウム［ＣａＦ２（塩）から成る］）固体反応生成物２２２が、少なくとも１つの追加の「特徴または特性」、例えば加熱プロセス中に形成される比較的少量の他の可能な固体反応生成物を含んでよく、それによってそのような追加の「特徴または特性」は、開示するエンティティ、物体、またはアイテムの基本的な新規かつ進歩性のある特性または特別な技術的特徴に実質的に影響を及ぼさないことを意味する。
【０１２４】
本明細書中で使用される用語「方法（ｍｅｔｈｏｄ）」は、所与の課題を達成するためのステップ、手順、様式、手段、および／または技術を示し、これには、開示された発明の関連分野の実施者に知られているそのようなステップ、手順、様式、手段、および／または技術、または、知られている様式、手段、技術および手順から開示された発明の関連分野の実施者によって容易に開発されるそのようなステップ、手順、様式、手段、および／または技術が含まれるが、それらに限定されない。
【０１２５】
この開示の全体を通して、パラメータ、特徴、特性、対象、又は寸法の数値は、数値範囲のフォーマットに関して述べられているか又は記載されることができる。本明細書で使用される、かかる数値範囲フォーマットは、本発明の幾つかの例示的実施形態の実施を示し、本発明の例示的実施形態の範囲を全く制限しない。従って、述べられ又は記載された数値範囲はまた、その述べられ又は記載された数値範囲内で全ての可能な下位範囲及び個々の数値（ここでは数値は、全体として整数又は分数値として表わされることができる）を示し、包含する。例えば、述べられ又は記載された数値「１〜６」はまた、「１〜３」、「１〜４」、「１〜５」、「２〜４」、「２〜６」、「３〜６」などの全ての可能な下位範囲、及び述べられ又は記載された数値範囲内の「１」、「１．３」、「２」、「２．８」、「３」、「３．５」、「４」、「４．６」、「５」、「５．２」、及び「６」のような個別の数値範囲を示し、包含する。これは、述べられ又は記載された数値範囲の数値幅、範囲、又は大きさにかかわらず適用する。
【０１２６】
さらに、数値範囲を述べたり又は記載するために、句「約第一数値と約第二数値の間の範囲」は、句「約第一数値から約第二数値までの範囲」に等しく考えられ、それと同じ意味を有し、二つの等しい意味の句は、交換可能に使用されることができる。例えば、室温の数値範囲を述べたり又は記載するために、句「室温は、約２０℃と約２５℃の間の範囲の温度を示す」は、句「室温は、約２０℃から約２５℃までの範囲の温度を示す」と同じことを意味する。
【０１２７】
本明細書中で使用される用語「約」は、±１０％を示す。
【０１２８】
明確化のために複数の別個の実施形態の文脈又は方式で図示して記載されかつ与えられた、本発明の特定の態様、特徴、及び特長はまた、単一の実施形態の文脈又は方式のいずれかの好適な組み合わせ又は副組み合わせで図示して記載されかつ与えられることができる。逆に、単一の実施形態の文脈又は方式の組み合わせ又は副組み合わせで図示して記載されかつ与えられる本発明の様々な態様、特徴、及び特長はまた、複数の別個の実施形態の文脈又は方式で図示して記載されかつ与えられることができる。
【０１２９】
本発明は、特定の実施態様、およびその実施例によって図示して記載され、与えられてきたが、多くの別法、変更および／または変形があることは当業者には明らかであることは明白である。従って、このような別法、変更および／または変形すべてが添付の請求項の精神の中にあり、かつそれによって包含されることを意図される。
【０１３０】
本開示で引用されるか、または言及された刊行物、特許および／または特許出願はすべて、個々の刊行物、特許および／または特許出願が各々あたかも具体的にかつ個々に引用提示されているのと同程度に、全体を本明細書に援用するものである。さらに、本明細書中の参照物の引用または確認は、このような参照物が本発明の先行技術を表わす、またはそれに相当することを認めたものとして解釈または理解されるべきではない。節の見出しが使用されている程度まで、それらは必ずしも限定であると解釈されるべきではない。
【図１Ａ】
2018535095.tif 000003
【図１Ｂ】
2018535095.tif 000004
【図２】
2018535095.tif 000005
【国際調査報告】
2018535095.tif 000006
2018535095.tif 000007
2018535095.tif 000008